(57)【要約】  蓋（２０）のための座部（１６）を支持する上側端部（１３）を有する管状本体（１０）を備えるタイプの缶のためのプラスチック蓋であって、外側縁部（２１ｂ）が設けられたシール用部分（２１）と、管状本体（１０）の上側端部（１３）の周囲部分に配置され且つ、蓋（２０）の最初の開封時に破断されるブリッジ部（２６）を介して、シール用部分（２１ｂ）の外側縁部（２１ｂ）に一体化される、下側スカート部（２５ａ）を有する不正開封防止機能部分（２５）とを備える改良された蓋である。ブリッジ部（２６）は、角度的に間隔をあけて配置された点にてシール用部分（２１）の外側縁部（２１ｂ）に下側スカート部（２５ａ）の上側縁部（２５ｂ）を結合する目的で、管状本体（１０）の上側端部（１３）の周囲の拡張部分のまわりに軸方向に配置される。
2006528585.tif 000002
【特許請求の範囲】
【請求項１】
下側端部（１１）と、蓋（２０）の密封配置のための座部（１６）を支持する上側端部（１３）とを有する管状本体（１０）を備えるタイプの缶のためのプラスチック蓋であり、座部（１６）に取り外し可能に配置され且つ保持され、座部（１６）から半径方向外側に突出する外側縁部（２１ｂ）が設けられたシール用部分（２１）と、管状本体（１０）の上側端部（１３）の一部のまわりに配置され、ブリッジ部（２６）を介して、シール用部分（２１ｂ）の外側縁部（２１ｂ）と上方にて一体になる、下側スカート部２５ａを有する不正開封防止機能部分（２５）とを、単一片にて備え、不正開封防止機能部分（２５）は、下側スカート部（２５ａ）の高さの少なくとも一部に沿って延びる妨害部（２５ｃ）を与え、シール用部分（２１）は、その外側縁部（２１ｂ）にて、不正開封防止部分（２５）の前記妨害部（２５ｃ）を通して突出するグリップ用タブ（２７）と一体になっており、前記ブリッジ部（２６）は、蓋（２０）の最初の開封時にシール用部分（２１）から不正開封防止機能部分（２５）を分離させる、一定の引張力を受けたときに破断される、改良されたプラスチック蓋であって、ブリッジ部（２６）は、角度的に間隔をあけて配置された点にて、シール用部分（２１）の外側縁部（２１ｂ）に下側スカート部（２５ａ）の上側縁部（２５ｂ）を結合するように、管状本体（１０）の上側端部（１３）の周囲の拡張部分のまわりに軸方向に配置されることを特徴とする、改良されたプラスチック蓋。
【請求項２】
シール用部分（２１）の外側端部（２１ｂ）は、管状本体（１０）の上側端部（１３）の周囲の拡張部分を取り囲みブリッジ部（２６）がそこから垂れ下がる、小さな円筒状下側フラップ（２１ｃ）と一体になっていることを特徴とする、請求項１に記載の改良されたプラスチック蓋。
【請求項３】
管状本体（１０）の上側端部（１３）が、蓋（２０）の配置のための座部（１６）が内部に画定される環状壁部（１５）に、二重シーム（１４）によって固着されている改良されたプラスチック蓋であって、下側スカート部（２５ａ）は、シール用部分（２１）の外側縁部（２１ｂ）から軸方向に間隔をあけて配置され、且つ管状本体（１０）のまわりで、二重シーム（１４）の下に配置され且つ軸方向にロックされるべき寸法に形成された内側周囲突起（２５ｈ）を一体化していることを特徴とする、請求項１または２に記載の改良されたプラスチック蓋。
【請求項４】
グリップ用タブ（２７）は、下側スカート部（２５ａ）との間にギャップ（２９）を維持しつつ、下側スカート部（２５ａ）と実質的に同じ高さに配置されることを特徴とする、請求項１に記載の改良されたプラスチック蓋。
【請求項５】
不正開封防止機能部分（２５）は、グリップ用タブ（２７）を下側スカート部（２５ａ）に結合する少なくとも１つの破断可能ロック（２８）を備えていることを特徴とする、請求項１に記載の改良されたプラスチック蓋。
【請求項６】
下側スカート部（２５ａ）は、不正開封防止機能部分（２５）の妨害部（２５ｃ）を覆い且つグリップ用タブ（２７）を覆って円周方向に延びて、ブリッジ部の端部（２５ｄ）と一体になっており、ブリッジ部の前記端部（２５ｆ）の第１の端部（２５ｅ）は、グリップ用タブ（２７）に対する手操作アクセスを自由にできるようにするために、前記第１の端部（２５ｅ）が下側スカート部（２５ａ）から強制的に離されるときに、破断される結合手段（２５ｆ）を介して下側スカート部（２５ａ）と一体になっていることを特徴とする、請求項１に記載の改良されたプラスチック蓋。
【請求項７】
ブリッジ部（２５ｄ）は、下側スカート部（２５ａ）に重ね合わされ且つ、周囲方向に間隔をあけて配置される２つの結合手段（２５ｅ）によって、下側スカート部（２５ａ）と一体になる第１の端部（２５ｅ）を有することを特徴とする、請求項６に記載の改良されたプラスチック蓋。
【請求項８】
シール用部分（２１）の上側端部（２１ｂ）は、前記管状本体（１０）上に積み重ねられる他の管状本体（１０）の下側端部（１１）に緩く且つ入れ子式に嵌合するように、管状本体（１０）の上側端部（１３）の上方に突出している、周囲の上側リブ（２５ｇ）と一体になっていることを特徴とする、請求項１に記載の改良されたプラスチック蓋。
【発明の詳細な説明】
【技術分野】
【０００１】
本発明は、底壁を付加しまたは底壁と一体化しているその下側縁部を有し且つ、圧入蓋の配置および保持のための座部を、管状本体の変形された部分を用いてまたは環状上側壁部分を用いて直接的に支持しているその上側縁部を有する、金属の薄板で作られ且つ管状本体を備えるタイプの、缶を閉じるための改善されたプラスチック蓋に関する。特に、本発明は、上記において考慮され且つ、例えば特定の食料品のような、段階的に消費される製品を収容するために使用されるタイプの缶のための、プラスチック蓋の提供に関する。
【背景技術】
【０００２】
特定の食料品のような、限定された製品は、密封式に収納され、且つそれらを収容して市場に出回る容器が侵害されていないことの消費者に対する明確な視覚的表示を備えていなければならない。これらの製品の多くは、段階的に消費されるものであるから、容器の最初の開封の後に、缶の内部へのアクセスを与える蓋は、再閉された缶の緊密さを保証し且つそれの残った内容物を保護する目的で、収納された製品の段階的な消費の間に必要とされる限り多くの回数だけ再閉され得ることが不可欠である。
【０００３】
同一出願人の特許出願第ＰＩ０２０３９５０（ＰＣＴ／ＢＲ０３／０００３０）号明細書は、管状本体の上側端部に通常二重シームされたその外側縁部を有する環状上側壁部に中央に設けられた座部に、取り外し可能に配置され且つ保持されるシール用部分と、管状本体の上側端部のまわりに配置される下側スカート部、および管状本体の上側端部に配置され且つ、外部では下側スカート部に、内部では破断可能な半径方向ブリッジ部を介して、座部から半径方向外向きに突出する、シール用部分の上側端部と、一体になった上側リングを有する不正開封防止機能部分とを単一片で備える、プラスチック蓋構造を開示している。不正開封防止機能部分は、上側リングの幅に沿い且つ下側スカート部の高さの少なくとも一部に沿って延び、それに沿って、引っ張られたときに、不正開封防止機能部分の破断の後に、蓋の容易で且つ制御された開封を達成することを可能とする、グリップ用タブが設けられる妨害部を与える。
【０００４】
上述された構成は、結果として、単純な構成からなり且つ相対的に低コストの、開くのを容易にするグリップ用タブと、ならびに侵害の迅速な視覚化を許容する信頼性の高いシール要素と一体になっている、再閉可能なプラスチック蓋を得る。
【０００５】
上述において引用された先行する構成的な解決策は、段階的な消費の製品を収容するために使用される缶の閉じ具として特に適しており、その蓋は、上記缶の閉じ操作、貯蔵操作、そして輸送操作の間に、他の缶にまたは格納および操作手段に関連して軸方向開封方向に衝撃を受けることはない。
【０００６】
不正開封防止機能部分の下側スカート部が、ある一定の故意でない上方向きの軸方向の力および変位を受けたときに、上記力を受ける領域の近傍に配置される半径方向ブリッジ部の少なくともいくつかが破断され、シール要素に生じる部分的な（しかし視認可能な）損傷を通して、これらの場合には実際には起きていないにもかかわらず、缶の内容物が侵害されていることを示すことが、これらの既知の缶において検証されている。
【０００７】
簡潔に言えば、特許出願第ＰＩ０２０３９５０−８号明細書において定義されたシールの構成は、それに対して缶が受ける限定された取り扱い条件において故意でない破断を受け易い。
【発明の開示】
【発明が解決しようとする課題】
【０００８】
本発明の目的は、本明細書で考慮し且つ上記において引用された特許出願に記載されたようなタイプの缶のための、しかしながら、それによって、プラスチック蓋が、上記閉じられた缶の閉じ操作、貯蔵操作および輸送操作の間にある一定の日常的な力および衝撃を受けたときに、不正開封防止機能部分が、故意でない破断に対して一層抵抗力を有するようになる、改善された構成を提示する、再閉可能なプラスチック蓋を提供することにある。
【課題を解決するための手段】
【０００９】
本発明の改善は、座部に取り外し可能に配置され且つ保持され、座部から半径方向外側に突出する外側縁部が設けられたシール用部分と、管状本体の上側端部の一部のまわりに配置され、ブリッジ部を通してシール用部分の外側縁部と、上方にて一体になる、下側スカート部を有する不正開封防止機能部分とを、単一片にて備える蓋を目的としており、不正開封防止機能部分は、下側スカート部の高さの少なくとも一部に沿って延びる妨害部を呈し、シール用部分は、その外側縁部にて、不正開封防止部分の上記妨害部を通して突出するグリップ用タブと一体になっており、上記ブリッジ部は、蓋の最初の開封時にシール用部分から不正開封防止機能部分を分離させる、一定の引張力を受けたときに破断される。
【００１０】
本発明によれば、破断可能ブリッジ部は、互いに角度的に間隔をあけて配置された点にて、シール用部分の外側縁部に下側スカート部の上側端部を結合する目的で、缶の管状本体の上側端部の周囲の拡張部分のまわりに軸方向に配置される。
【００１１】
改善された構造によれば、シール用部分は、缶の管状本体の上側端部の周囲縁部まで半径方向に延び、缶を上方にて覆い且つ保護し、複数の破断可能な軸方向ブリッジ部を通して不正開封防止機能部分の下側スカート部と下方で一体になる外側縁部を有する。
【００１２】
概して缶の管状本体の上側端部のまわりに配置される、破断可能なブリッジ部の新規な軸方向配置は、あらゆる他の要素に抗する蓋の衝撃によって下側スカート部が上方へ押圧されるとき、上記ブリッジ部に引張力でなく圧縮力を受けさせ、上記力に対してより良く抵抗し且つそれの不適正な破断を回避する。
【００１３】
本発明は、添付図面を参照して、以下に説明されるであろう。
【発明を実施するための最良の形態】
【００１４】
図解された実施形態によれば、当該蓋は、底壁部１２に固着している下側端部１１を有し且つ、二重シーム１４によって、内部に蓋２０の密封式の配置のための座部１６を画定する、環状上側壁部１５に固着している上側端部１３を有する、管状本体１０を備える金属薄板缶に適用され得る。
【００１５】
環状上側壁部１５は、図４および図５に図解されているように、構造的リングの形態または、１８リットル缶のように、大きな寸法を有する缶における環状プレートの形態をとることができる。
【００１６】
環状上側壁部１５および座部１６の両方の構造は、缶の上側部分への蓋２０の密封式で且つ確実な嵌合を可能とすることが提供される別の態様によって達成されても良い。図４および図５において、環状上側壁部１５および座部１６の構造は、ブラジルにおいて、および他の国において（米国において米国特許第５８９９３５２号、ヨーロッパにおいて欧州特許第０７０６４８６号）、本出願と同一の出願人に対して許可された特許出願第ＰＩ９４０８６４３−５号明細書に記述され且つ特許請求の範囲に記載されたように達成されており、したがって本開示には詳細には述べられないであろう。
【００１７】
本発明に従って、そして添付図面に図解されたように、蓋２０は、好ましくは、座部１６に取り外し可能に配置され且つ保持されるように、適切な構成のシール用部分２１を備える、透明または不透明なプラスチック材料にて構成され、上記シール用部分２１は、缶の管状本体１０の上側端部１３に配置される外側縁部２１ｂを与える。蓋２０は、管状本体１０の上側端部１３の周囲拡張部分、より詳細にはその二重シーム１４のまわりに概して密に配置される下側スカート部２５ａを有し、且つ手操作にて破断可能なブリッジ部２６を用いてシール用部分２１の外側縁部２１ｂと一体になっている、上側端部２５ｂを呈する不正開封防止機能部分２５を、シール用部分２１と共に単一片にてさらに備えている。ブリッジ部２６は、角度的に間隔をあけて配置された点において、下側スカート部２５ａの上側端部２５ｂをシール用部分２１の外側縁部２１ｂに結合している。
【００１８】
本発明によれば、蓋２０の最初の開封時に、シール用部分２１から不正開封防止機能部分２５を分離する特定の引張力を受けたときに、ブリッジ部２６は破断される。
【００１９】
不正開封防止機能部分２５は、下側スカート部２５ａの高さの少なくとも一部に沿って延びるその周囲拡張部分に、妨害部２５ｃを呈し、上記妨害部２５ｃは、妨害部２５ｃの両側における、下側スカート部２５ａのそれぞれの対向する縁部の間にある一定の周囲間隔を画定する。
【００２０】
本発明によれば、シール用部分２１は、例えば下側スカート部２５ａと実質的に同じ高さを維持して、不正開封防止機能部分２５の上記妨害部２５ｃを通って軸方向下向きに突出するグリップ用タブ２７と一体になっている。
【００２１】
図解された実施形態において、グリップ用タブ２７は、下側スカート部２５ａの全体の軸方向拡張部分に沿って突出するが、しかし下側スカート部２５ａの軸方向拡張部分を超えて軸方向下方に突出していても良い。
【００２２】
本発明によれば、不正開封防止機能部分２５は、グリップ用タブ２７を下側スカート部２５ａに結合する少なくとも一つの破断可能ロック部２８を備えている。グリップ用タブ２７は、不正開封防止機能部分２５の一部の破断時、例えば各破断可能ロッド２８の破断時にのみ、手動で操作可能である。
【００２３】
図解された構造において、下側スカート部２５ａは、不正開封防止機能部分２５の妨害部２５ｃに重なって、そしてグリップ用タブ２７に重なって周囲方向に延長される、ブリッジ部２５ｄの端部と一体になっている。ブリッジ部２５ｄは、結合手段２５ｆによって下側スカート部２５ａと一体になっている第１の端部２５ｅを与える。上記第１の端部２５ｅが、グリップ用タブ２７に自由に手動でアクセスする目的で、例えば半径方向外側向きに引っ張られることによって、下側スカート部２５ａから離れるように押しやられたときに上記結合手段２５ｆは破断される。図解された実施形態において、ブリッジ部２５ｄは、上記下側スカート部２５ａに重ね合わされ、且つ互いに円周方向に間隔をあけて配置された２つの結合手段２５ｆによって下側スカート部２５ａに一体化された、その第１の端部２５ｅを有する。
【００２４】
グリップ用タブ２７は、最初に蓋を開封するときに手動で破断される、１つ以上の軸方向ブリッジ部の形態で、破断可能ロック部２８を介してブリッジ部２５ｄの下方に一体化されている。
【００２５】
グリップ用タブ２７の提供は、シール用部分２１が座部１６におけるその配置状態から容易に取り外されることを可能とし、そして最初にグリップ用タブ２７の近傍の領域において、続いて座部の残部に至る、貯蔵された製品が缶から不用意に取り出されるのを防止して、制御され且つ漸進的な缶の開封を行うことをも可能とする。
【００２６】
本発明によれば、グリップ用タブ２７は、図解された構造におけるようにタグを画定する、大きな（ｍａｓｓｉｖｅ）一つのおよび少なくとも部分的に穿孔された形態を呈していても良い。
【００２７】
グリップ用タブ２７は、大きくてもよく、下側スカート部２５ａと完全に同じ高さを残し且つそれらの間にギャップ２９を維持して、下側スカート部２５ａのそれぞれの部分から形成されていても良いことを理解されたい。
【００２８】
図解された構成において、シール用部分２１の外側縁部２１ｂは、管状本体１０の上側端部１３の周囲拡張部分を好ましくは密に取り囲む、小さな円筒状下側フラップ２１ｃを一体化しており、そこからブリッジ部２６が下方に垂れ下がって、下側スカート部２５ａの上側端部２５ｂに一体化されている。
【００２９】
下側スカート部２５ａが、シール用部分２１の外側縁部２１ｂから軸方向に間隔をあけて配置され、且つ管状本体１０の上側端部１３にておよび二重シーム１４のまわりにおいて、二重シーム１４の下で配置され且つ軸方向にロックされるような寸法に形成される周囲内側突起部２５ｈを一体化することも、図解されているように可能である。
【００３０】
構造的な形態において、シール用部分２１の外側縁部２１ｂは、上記管状本体１０上に重ね合わされた他の管状本体１０の下側端部１１に、外部的にまたは内部的に緩く且つ入れ子状に嵌合するように、連続的な、またはセグメントに画定された、管状本体１０の上側端部１３の上方に突出する上側周囲リブ２５ｇを一体化している。
【００３１】
上側周囲リブ２５ｇが、管状本体１０の下側端部１１よりも小さな直径を呈する場合には、前記管状本体１０の上に積み重ねられた他の管状本体１０の下側端部１１の内部にて、底壁部１２に設けられる円周方向凹所１２ａの内側に嵌合するであろう。
【００３２】
本発明は、ただ一つの構造的な形態を呈する缶の実施形態に関連して説明されてきたけれども、添付された特許請求の範囲において定められた保護の範囲から逸脱することなしに、変更がなされ得ることを理解されたい。
【図面の簡単な説明】
【００３３】
【図１】本発明の一実施形態に従って構成され且つ不正開封防止機能部分を一体化しているプラスチック蓋の斜視図である。
【図２】不正開封防止機能部分の破断後の、図１の蓋の分解斜視図である。
【図３】図１に図解されたプラスチック蓋の上側平面図である。
【図４】図１から図３に図解され且つ缶の上側端部に搭載された蓋の直径方向の部分断面図であり、上記断面は図３のＩＶ−ＩＶ線に従ってとられている。
【図５】図４と同様の図であるが、上記断面は図３のＶ−Ｖ線に沿っている。
【図１】
2006528585.tif 000003
【図２】
2006528585.tif 000004
【図３】
2006528585.tif 000005
【図４】
2006528585.tif 000006
【図５】
2006528585.tif 000007
【手続補正書】
【提出日】平成17年1月17日(2005.1.17)
【手続補正１】
【補正対象書類名】特許請求の範囲
【補正対象項目名】全文
【補正方法】変更
【補正の内容】
【特許請求の範囲】
【請求項１】
下側端部（１１）と、蓋（２０）の密封配置のための座部（１６）を支持する上側端部（１３）とを有する管状本体（１０）を備えるタイプの缶のためのプラスチック蓋であり、座部（１６）に取り外し可能に配置され且つ保持され、座部（１６）から半径方向外側に突出する外側縁部（２１ｂ）が設けられたシール用部分（２１）と、管状本体（１０）の上側端部（１３）の一部のまわりに配置され、ブリッジ部（２６）を介して、シール用部分（２１）の外側縁部（２１ｂ）と上方にて一体になる、下側スカート部２５ａを有する不正開封防止機能部分（２５）とを、単一片にて備え、不正開封防止機能部分（２５）は、下側スカート部（２５ａ）の高さの少なくとも一部に沿って延びる妨害部（２５ｃ）を与え、シール用部分（２１）は、その外側縁部（２１ｂ）にて、不正開封防止部分（２５）の前記妨害部（２５ｃ）を通して突出するグリップ用タブ（２７）と一体になっており、前記ブリッジ部（２６）は、蓋（２０）の最初の開封時にシール用部分（２１）から不正開封防止機能部分（２５）を分離させる、一定の引張力を受けたときに破断される、改良されたプラスチック蓋であって、ブリッジ部（２６）は、角度的に間隔をあけて配置された点にて、シール用部分（２１）の外側縁部（２１ｂ）に下側スカート部（２５ａ）の上側縁部（２５ｂ）を結合するように、管状本体（１０）の上側端部（１３）の周囲の拡張部分のまわりに軸方向に配置され、前記グリップ用タブ（２７）は、下側スカート部（２５ａ）とのギャップ（２９）を維持することを特徴とする、改良されたプラスチック蓋。
【請求項２】
シール用部分（２１）の外側端部（２１ｂ）は、管状本体（１０）の上側端部（１３）の周囲の拡張部分を取り囲みブリッジ部（２６）がそこから垂れ下がる、小さな円筒状下側フラップ（２１ｃ）と一体になっていることを特徴とする、請求項１に記載の改良されたプラスチック蓋。
【請求項３】
管状本体（１０）の上側端部（１３）が、蓋（２０）の配置のための座部（１６）が内部に画定される環状壁部（１５）に、二重シーム（１４）によって固着されている改良されたプラスチック蓋であって、下側スカート部（２５ａ）は、シール用部分（２１）の外側縁部（２１ｂ）から軸方向に間隔をあけて配置され、且つ管状本体（１０）のまわりで、二重シーム（１４）の下に配置され且つ軸方向にロックされるべき寸法に形成された内側周囲突起（２５ｈ）を一体化していることを特徴とする、請求項１または２に記載の改良されたプラスチック蓋。
【請求項４】
グリップ用タブ（２７）は、下側スカート部（２５ａ）と実質的に同じ高さに配置されることを特徴とする、請求項１に記載の改良されたプラスチック蓋。
【請求項５】
不正開封防止機能部分（２５）は、グリップ用タブ（２７）を下側スカート部（２５ａ）に結合する少なくとも１つの破断可能ロック（２８）を備えていることを特徴とする、請求項１に記載の改良されたプラスチック蓋。
【請求項６】
下側スカート部（２５ａ）は、不正開封防止機能部分（２５）の妨害部（２５ｃ）を覆い且つグリップ用タブ（２７）を覆って円周方向に延びて、ブリッジ部の端部（２５ｄ）と一体になっており、ブリッジ部の前記端部（２５ｆ）の第１の端部（２５ｅ）は、グリップ用タブ（２７）に対する手操作アクセスを自由にできるようにするために、前記第１の端部（２５ｅ）が下側スカート部（２５ａ）から強制的に離されるときに、破断される結合手段（２５ｆ）を介して下側スカート部（２５ａ）と一体になっていることを特徴とする、請求項１に記載の改良されたプラスチック蓋。
【請求項７】
ブリッジ部（２５ｄ）は、下側スカート部（２５ａ）に重ね合わされ且つ、周囲方向に間隔をあけて配置される２つの結合手段（２５ｅ）によって、下側スカート部（２５ａ）と一体になる第１の端部（２５ｅ）を有することを特徴とする、請求項６に記載の改良されたプラスチック蓋。
【請求項８】
シール用部分（２１）の上側端部（２１ｂ）は、前記管状本体（１０）上に積み重ねられる他の管状本体（１０）の下側端部（１１）に緩く且つ入れ子式に嵌合するように、管状本体（１０）の上側端部（１３）の上方に突出している、周囲の上側リブ（２５ｇ）と一体になっていることを特徴とする、請求項１に記載の改良されたプラスチック蓋。
【国際調査報告】
2006528585.tif 000008
2006528585.tif 000009
2006528585.tif 000010